(57)【要約】  【課題】  半導体膜と画素電極の間に導電性材料を吐出して導電膜を形成する際に、導電性材料が半導体膜上から流出することを防止して、導電膜の十分な膜厚を確保することができるアクティブマトリクス基板の製造方法等を提供する。  【解決手段】  基板Ｐ上に、格子パターンの配線４０，４２と、配線４０，４２に囲まれた領域に配置された画素電極４５と、画素電極４５及び配線４２に導電膜４４を介して電気的に接続するスイッチング素子３０と、を有するアクティブマトリックス基板２０にであって、画素電極４５と導電膜４４とを電気的に接続する補助導通部５０を備える。また、補助導電部５０上の一部にバンク６１を備える。  【選択図】  図１３
2006065020.tif 000002
【特許請求の範囲】
【請求項１】
基板上に、格子パターンの配線と、前記配線に囲まれた領域に配置された画素電極と、前記画素電極及び前記配線に導電膜を介して電気的に接続するスイッチング素子と、を有するアクティブマトリックス基板であって、
前記画素電極と前記導電膜とを電気的に接続する補助導通部を備えることを特徴とするアクティブマトリックス基板。
【請求項２】
前記補助導電部は、前記配線と同一の層に形成されることを特徴とする請求項１に記載のアクティブマトリックス基板。
【請求項３】
前記補助導電部上の一部にバンクを備えることを特徴とする請求項１又は請求項２に記載のアクティブマトリックス基板。
【請求項４】
基板上に、格子パターンの配線と、前記配線に囲まれた領域に配置された画素電極と、前記画素電極及び前記配線に導電膜を介して電気的に接続するスイッチング素子と、を有するアクティブマトリックス基板の製造方法であって、
前記配線を形成すると同時に、前記画素電極と前記導電膜とを電気的に接続する補助導通部を形成することを特徴とするアクティブマトリックス基板の製造方法。
【請求項５】
前記導電膜を液滴吐出法により形成するに先立って、前記補助導電部上の一部にバンクを形成することを特徴とする請求項４に記載のアクティブマトリックス基板の製造方法。
【請求項６】
請求項１から請求項３のうちいずれか一項に記載のアクティブマトリックス基板、又は請求項４又は請求項に記載の製造方法により得られるアクティブマトリックス基板を備えることを特徴とする電気光学装置。
【請求項７】
請求項６に記載の電気光学装置を備えることを特徴とする電子機器。
【発明の詳細な説明】
【技術分野】
【０００１】
本発明は、アクティブマトリクス基板の製造方法、アクティブマトリクス基板、電気光学装置並びに電子機器に関するものである。
【背景技術】
【０００２】
ノートパソコン、携帯電話などの携帯機器の普及に伴い、薄くて軽量な液晶表示装置等が幅広く用いられている。この種の液晶表示装置等は、上基板及び下基板間に液晶層を挟持したものとなっている。
前記下基板（アクティブマトリックス基板）の一例を、図１７に示す。同図に示すように、下基板１は、ガラス基板２と、このガラス基板２上に互いに交差するように配線されたゲート走査電極３及びソース電極４と、同じくガラス基板２上に配線されたドレイン電極５と、このドレイン電極５に接続された画素電極（ＩＴＯ）６と、ゲート走査電極３とソース電極４との間に介在された絶縁層７と、薄膜半導体からなるＴＦＴ（Thin Film Transistor）８とを備えて構成されている。
【０００３】
上記下基板１における各金属配線の形成においては、例えば、特許第３２６１６９９号公報に示されるように、ドライプロセスとフォトリソエッチングを組み合わせた処理を複数回繰り返す手法が用いられている。
【特許文献１】特許第３２６１６９９号公報
【発明の開示】
【発明が解決しようとする課題】
【０００４】
上述したアクティブマトリックス基板では、ドレイン電極５等の形成に液滴吐出法が用いられている。すなわち、ＴＦＴ３０と画素電極６との間に、液滴吐出装置により導電性材料を塗布し、固化することにより、ドレイン電極５が形成される。
ところが、ＴＦＴ３０を形成する半導体膜上は、撥水処理が施され、更に、半導体膜と画素電極６との間に高低差（半導体膜が画素電極６よりも高い位置にある）が存在する。このため、ＴＦＴ３０と画素電極６との間に導電性材料を塗布すると、半導体膜上に塗布した導電性材料が画素電極６側に流出してしまい、半導体膜上に形成されるドレイン電極５の膜厚が薄くなってしまい、導電性が悪化してしまうという問題がある。
【０００５】
本発明は、以上のような点を考慮してなされたもので、半導体膜と画素電極の間に導電性材料を吐出して導電膜を形成する際に、導電性材料が半導体膜上から流出することを防止して、導電膜の十分な膜厚を確保することができるアクティブマトリクス基板の製造方法等を提供することを目的とする。
【課題を解決するための手段】
【０００６】
本発明に係るアクティブマトリクス基板の製造方法、アクティブマトリクス基板、電気光学装置並びに電子機器では、上記課題を解決するために以下の手段を採用した。
第１の発明は、基板上に、格子パターンの配線と、前記配線に囲まれた領域に配置された画素電極と、前記画素電極及び前記配線に導電膜を介して電気的に接続するスイッチング素子と、を有するアクティブマトリックス基板であって、前記画素電極と前記導電膜とを電気的に接続する補助導通部を備えるようにした。
この発明によれば、導電膜を直接、画素電極に成膜させる必要がなくなるので、導電膜が画素電極側に流出してしまうことを防止することが可能となる。
【０００７】
また、前記補助導電部は、前記配線と同一の層に形成されるものでは、製造工程を増やさずに補助導電部を形成することができる。
また、前記補助導電部上の一部にバンクを備えるものでは、導電膜を所定位置に留めることができるので、十分な膜厚を有する導電膜を形成することができる。
【０００８】
第２の発明は、基板上に、格子パターンの配線と、前記配線に囲まれた領域に配置された画素電極と、前記画素電極及び前記配線に導電膜を介して電気的に接続するスイッチング素子と、を有するアクティブマトリックス基板の製造方法であって、前記配線を形成すると同時に、前記画素電極と前記導電膜とを電気的に接続する補助導通部を形成するようにした。
この発明によれば、導電膜を直接、画素電極に成膜させる必要がなくなるので、導電膜が画素電極側に流出してしまうことを防止することが可能となる。
また、前記導電膜を液滴吐出法により形成するに先立って、前記補助導電部上の一部にバンクを形成するものでは、導電膜を所定位置に留めることができるので、十分な膜厚を有する導電膜を形成することができる。
【０００９】
第３の発明は、電気光学装置が、第１の発明のアクティブマトリックス基板、又は第２の発明の製造方法により得られるアクティブマトリックス基板を備えるようにした。この発明によれば、電気光学装置の性能向上が図られる。
【００１０】
第４の発明は、電子機器が第３の発明の電気光学装置を備えるようにした。この発明によれば、電気光学装置の性能向上が図られる。
【発明を実施するための最良の形態】
【００１１】
以下、本発明のアクティブマトリクス基板の製造方法、アクティブマトリクス基板、電気光学装置並びに電子機器の実施形態について図を参照して説明する。
【００１２】
＜アクティブマトリクス基板＞
図１は、本発明に係るアクティブマトリックス基板の一部を拡大した図である。
アクティブマトリックス基板２０上は、格子状に配線されたゲート配線４０とソース配線４２とを備える。すなわち、複数のゲート配線４０がＸ方向に延びるように形成され、ソース配線４２がＹ方向に延びるように形成されている。
また、ゲート配線４０には、ゲート電極４１が接続され、ゲート電極４１上に絶縁層を介してＴＦＴ３０が配置される。一方、ソース配線４２には、ソース電極４３が接続され、ソース電極４３の一端は、ＴＦＴ（スイッチング素子）３０に接続する。
そして、ゲート配線４０とソース配線４２に囲まれた領域には、画素電極４５が配置され、補助導電部５０及びドレイン電極４４を介してＴＦＴ３０に接続する。
また、アクティブマトリックス基板２０上には、ゲート配線４０と略平行するように、容量線４６が配線される。容量線４６は、画素電極４５及びソース配線４２の下層に絶縁層を介して配置される。
なお、ゲート配線４０、ゲート電極４１、ソース配線４２、容量線４６、補助導電部５０は、同一の面上に形成される。
【００１３】
図２は、アクティブマトリックス基板２０の等価回路図であって、液晶表示装置に用いた場合である。
アクティブマトリックス基板２０を液晶表示装置１００に用いた場合には、画像表示領域には複数の画素１００ａがマトリクス状に構成される。これらの画素１００ａの各々には、画素スイッチング用のＴＦＴ３０が形成されており、画素信号Ｓ１、Ｓ２、…、Ｓｎを供給するソース配線４２がソース電極４３を介してＴＦＴ３０のソースに電気的に接続されている。ソース配線４２に供給する画素信号Ｓ１、Ｓ２、…、Ｓｎは、この順に線順次で供給してもよく、相隣接する複数のソース配線４２同士に対して、グループ毎に供給するようにしてもよい。
また、ＴＦＴ３０のゲートには、ゲート配線４０がゲート電極４１を介して電気的に接続されている。そして、所定のタイミングで、ゲート配線４０にパルス的に走査信号Ｇ１、Ｇ２、…、Ｇｍをこの順に線順次で印加するように構成されている。
【００１４】
画素電極４５は、ＴＦＴ３０のドレインにドレイン電極４４を介して電気的に接続されている。そして、スイッチング素子であるＴＦＴ３０を一定期間だけオン状態とすることにより、ソース配線４２から供給される画素信号Ｓ１、Ｓ２、…、Ｓｎを各画素に所定のタイミングで書き込む。このようにして画素電極４５を介して液晶に書き込まれた所定レベルの画素信号Ｓ１、Ｓ２、…、Ｓｎは、図１５に示す対向基板１２０の対向電極１２１との間で一定期間保持される。
なお、保持された画素信号Ｓ１、Ｓ２、…、Ｓｎがリークするのを防ぐために、容量線４６によって、画素電極４５と対向電極１２１との間に形成される液晶容量と並列に蓄積容量４８が付加されている。例えば、画素電極４５の電圧は、ソース電圧が印加された時間よりも３桁も長い時間だけ蓄積容量４８により保持される。これにより、電荷の保持特性は改善され、コントラスト比の高い液晶表示装置１００を実現することができる。
【００１５】
＜アクティブマトリクス基板の製造方法＞
次に、アクティブマトリックス基板２０の製造方法について図を参照して説明する。
アクティブマトリックス基板２０は、基板Ｐ上に格子パターンの配線を形成する第１工程と、積層部３５を形成する第２工程と、画素電極４５等を形成する第３工程により製造される。
以下、各工程毎に詳細に説明する。
【００１６】
（第１工程：配線形成）
図３、図４は、第１工程である配線形成工程を説明する図である。なお、図３（ｂ），図４（ｂ）は、それぞれ図３（ａ），図４（ａ）におけるＡ−Ａ’線に沿う断面図である。
ゲート配線４０やソース配線４２等の格子パターンの配線が形成される基板Ｐとしては、ガラス、石英ガラス、Ｓｉウエハ、プラスチックフィルム、金属板など各種の材料を用いることができる。また、これら各種の素材基板の表面に半導体膜、金属膜、誘電体膜、有機膜などが下地層として形成されたものも含む。
そして、まず、図３に示すように、基板Ｐ上に、絶縁性の有機樹脂からなるバンク５１が形成される。バンクは、後述する配線用インクを基板Ｐの所定位置に配置するためのものである。
具体的には、図３（ａ）に示すように、洗浄した基板Ｐの上面に、格子パターンの配線の形成位置に対応した複数の開口部５２，５３，５４，５５，５７を有するバンク５１をフォトリソグラフィ法に基づいて形成する。
バンク５１の材料としては、例えば、アクリル樹脂、ポリイミド樹脂、オレフィン樹脂、メラミン樹脂などの高分子材料が用いられる。なお、バンク５１には、開口部５２，５３，５４，５５，５７内に配線パターン用インクを良好に配置させるために、撥液性処理を施される。撥液性処理として、ＣＦ４プラズマ処理等（フッ素成分を有するガスを用いたプラズマ処理）を施す。なお、ＣＦ４プラズマ処理等に代えて、バンク５１の素材自体に予め撥液成分（フッ素基等）を充填しておいても良い。
【００１７】
バンク５１により形成される開口部５２，５３，５４，５５は、ゲート配線４０やソース配線４２等の格子パターンの配線に対応している。すなわち、バンク５１の開口部５２，５３，５４，５５に配線用インクを配置することにより、ゲート配線４０やソース配線４２等の格子パターンの配線が形成される。
具体的には、Ｘ方向に延びるように形成された開口部５２，５３は、ゲート配線４０、容量線４６の形成位置に対応する。そして、ゲート配線４０の形成位置に対応する開口部５２には、ゲート電極４１の形成位置に対応する開口部５４が接続している。また、Ｙ方向に延びるように形成された開口部５５は、ソース配線４２の形成位置に対応する。なお、Ｙ方向に延びる開口部５５は、Ｘ方向に延びる開口部５２，５３と交差しないように、交差部５６において分断されるように形成される。
また、バンク５１により形成される開口部５７は、後述するドレイン電極４４と画素電極４５とを電気的に接続する補助導電部５０の形成位置に対応する。
【００１８】
次いで、後述する液滴吐出装置ＩＪによって、導電性微粒子を含む配線用インクを開口部５２，５３，５４，５５，５７内に吐出・配置して、基板上にゲート配線４０やソース配線４２等からなる格子パターンの配線及び補助導電部５０を形成する。
配線用インクは、導電性微粒子を分散媒に分散させた分散液や有機銀化合物や酸化銀ナノ粒子を溶媒（分散媒）に分散した溶液からなるものである。導電性微粒子としては、例えば、金、銀、銅、錫、鉛等の金属微粒子の他、これらの酸化物、並びに導電性ポリマーや超電導体の微粒子などが用いられる。これらの導電性微粒子は、分散性を向上させるために表面に有機物などをコーティングして使うこともできる。
【００１９】
導電性微粒子の粒径は１ｎｍ以上０．１μｍ以下であることが好ましい。０．１μｍより大きいと、後述する液滴吐出ヘッドのノズルに目詰まりが生じるおそれがある。また、１ｎｍより小さいと、導電性微粒子に対するコーティング剤の体積比が大きくなり、得られる膜中の有機物の割合が過多となる。
【００２０】
分散媒としては、上記の導電性微粒子を分散できるもので、凝集を起こさないものであれば特に限定されない。例えば、水の他に、メタノール、エタノール、プロパノール、ブタノールなどのアルコール類、ｎ−ヘプタン、ｎ−オクタン、デカン、ドデカン、テトラデカン、トルエン、キシレン、シメン、デュレン、インデン、ジペンテン、テトラヒドロナフタレン、デカヒドロナフタレン、シクロヘキシルベンゼンなどの炭化水素系化合物、またエチレングリコールジメチルエーテル、エチレングリコールジエチルエーテル、エチレングリコールメチルエチルエーテル、ジエチレングリコールジメチルエーテル、ジエチレングリコールジエチルエーテル、ジエチレングリコールメチルエチルエーテル、１，２−ジメトキシエタン、ビス（２−メトキシエチル）エーテル、ｐ−ジオキサンなどのエーテル系化合物、さらにプロピレンカーボネート、γ−ブチロラクトン、Ｎ−メチル−２−ピロリドン、ジメチルホルムアミド、ジメチルスルホキシド、シクロヘキサノンなどの極性化合物を例示できる。これらのうち、微粒子の分散性と分散液の安定性、また液滴吐出法（インクジェット法）への適用の容易さの点で、水、アルコール類、炭化水素系化合物、エーテル系化合物が好ましく、より好ましい分散媒としては、水、炭化水素系化合物を挙げることができる。
【００２１】
導電性微粒子の分散液の表面張力は、例えば０．０２Ｎ／ｍ以上０．０７Ｎ／ｍ以下の範囲内であることが好ましい。インクジェット法にて液体を吐出する際、表面張力が０．０２Ｎ／ｍ未満であると、インク組成物のノズル面に対する濡れ性が増大するため飛行曲りが生じやすくなり、０．０７Ｎ／ｍを超えるとノズル先端でのメニスカスの形状が安定しないため吐出量や、吐出タイミングの制御が困難になる。表面張力を調整するため、上記分散液には、基板との接触角を大きく低下させない範囲で、フッ素系、シリコーン系、ノニオン系などの表面張力調節剤を微量添加するとよい。ノニオン系表面張力調節剤は、液体の基板への濡れ性を向上させ、膜のレベリング性を改良し、膜の微細な凹凸の発生などの防止に役立つものである。上記表面張力調節剤は、必要に応じて、アルコール、エーテル、エステル、ケトン等の有機化合物を含んでもよい。
【００２２】
分散液の粘度は、例えば１ｍＰａ・ｓ以上５０ｍＰａ・ｓ以下であることが好ましい。インクジェット法を用いて液体材料を液滴として吐出する際、粘度が１ｍＰａ・ｓより小さい場合にはノズル周辺部がインクの流出により汚染されやすく、また粘度が５０ｍＰａ・ｓより大きい場合は、ノズル孔での目詰まり頻度が高くなり円滑な液滴の吐出が困難となる。
【００２３】
基板Ｐに配線用インクを吐出した後には、分散媒の除去のため、必要に応じて乾燥処理、焼成処理を行う。
乾燥処理は、例えば基板Ｐを加熱する通常のホットプレート、電気炉などによる加熱処理によって行うことができる。例えば１８０℃加熱を６０分間程度行う。
焼成処理及の処理温度は、分散媒の沸点（蒸気圧）、微粒子の分散性や酸化性等の熱的挙動、コーティング剤の有無や量、基材の耐熱温度などを考慮して適宜決定される。例えば、有機物からなるコーティング剤を除去するために、約２５０℃で焼成することが必要である。
このような乾燥・焼成処理により、導電性微粒子間の電気的接触が確保され、導電性膜に変換される。
【００２４】
なお、ゲート配線４０やソース配線４２等の配線及び補助導電部５０上には、金属保護膜４７を成膜させてもよい。金属保護膜４７は、銀や銅等からなる導電性膜の（エレクトロ）マイグレーション現象等を抑制するための薄膜である。金属保護膜４７を形成する材料としては、ニッケルが好ましい。なお、ニッケルからなる金属保護膜４７も液滴吐出法によって基板Ｐ上に配置されて形成される。
【００２５】
以上の工程により、基板Ｐ上には、図４に示すように、バンク５１、格子パターンの配線及び補助導電部５０上からなる層が形成される。
【００２６】
ところで、液滴吐出法の吐出技術としては、帯電制御方式、加圧振動方式、電気機械変換式、電気熱変換方式、静電吸引方式などが挙げられる。帯電制御方式は、材料に帯電電極で電荷を付与し、偏向電極で材料の飛翔方向を制御してノズルから吐出させるものである。また、加圧振動方式は、材料に例えば３０ｋｇ／ｃｍ２程度の超高圧を印加してノズル先端側に材料を吐出させるものであり、制御電圧をかけない場合には材料が直進してノズルから吐出され、制御電圧をかけると材料間に静電的な反発が起こり、材料が飛散してノズルから吐出されない。また、電気機械変換方式は、ピエゾ素子（圧電素子）がパルス的な電気信号を受けて変形する性質を利用したもので、ピエゾ素子が変形することによって材料を貯留した空間に可撓物質を介して圧力を与え、この空間から材料を押し出してノズルから吐出させるものである。
【００２７】
また、電気熱変換方式は、材料を貯留した空間内に設けたヒータにより、材料を急激に気化させてバブル（泡）を発生させ、バブルの圧力によって空間内の材料を吐出させるものである。静電吸引方式は、材料を貯留した空間内に微小圧力を加え、ノズルに材料のメニスカスを形成し、この状態で静電引力を加えてから材料を引き出すものである。また、この他に、電場による流体の粘性変化を利用する方式や、放電火花で飛ばす方式などの技術も適用可能である。液滴吐出法は、材料の使用に無駄が少なく、しかも所望の位置に所望の量の材料を的確に配置できるという利点を有する。なお、液滴吐出法により吐出される液状材料（流動体）の一滴の量は、例えば１〜３００ナノグラムである。
【００２８】
格子パターンの配線を形成する際に用いられる液滴吐出装置ＩＪとしては、例えば、図５に示す液滴吐出装置ＩＪが用いられる。
液滴吐出装置（インクジェット装置）ＩＪは、液滴吐出ヘッドから基板Ｐに対して液滴を吐出（滴下）するものであって、液滴吐出ヘッド３０１と、Ｘ方向駆動軸３０４と、Ｙ方向ガイド軸３０５と、制御装置ＣＯＮＴと、ステージ３０７と、クリーニング機構３０８と、基台３０９と、ヒータ３１５とを備えている。ステージ３０７は、この液滴吐出装置ＩＪによりインク（液体材料）を設けられる基板Ｐを支持するものであって、基板Ｐを基準位置に固定する不図示の固定機構を備えている。
【００２９】
液滴吐出ヘッド３０１は、複数の吐出ノズルを備えたマルチノズルタイプの液滴吐出ヘッドであり、長手方向とＹ軸方向とを一致させている。複数の吐出ノズルは、液滴吐出ヘッド３０１の下面にＹ軸方向に並んで一定間隔で設けられている。液滴吐出ヘッド３０１の吐出ノズルからは、ステージ３０７に支持されている基板Ｐに対して、上述した導電性微粒子を含むインクが吐出される。
【００３０】
Ｘ方向駆動軸３０４には、Ｘ方向駆動モータ３０２が接続されている。Ｘ方向駆動モータ３０２はステッピングモータ等であり、制御装置ＣＯＮＴからＸ方向の駆動信号が供給されると、Ｘ方向駆動軸３０４を回転させる。Ｘ方向駆動軸３０４が回転すると、液滴吐出ヘッド３０１はＸ軸方向に移動する。
Ｙ方向ガイド軸３０５は、基台３０９に対して動かないように固定されている。ステージ３０７は、Ｙ方向駆動モータ３０３を備えている。Ｙ方向駆動モータ３０３はステッピングモータ等であり、制御装置ＣＯＮＴからＹ方向の駆動信号が供給されると、ステージ３０７をＹ方向に移動する。
【００３１】
制御装置ＣＯＮＴは、液滴吐出ヘッド３０１に液滴の吐出制御用の電圧を供給する。また、Ｘ方向駆動モータ３０２に液滴吐出ヘッド３０１のＸ方向の移動を制御する駆動パルス信号を、Ｙ方向駆動モータ３０３にステージ３０７のＹ方向の移動を制御する駆動パルス信号を供給する。
クリーニング機構３０８は、液滴吐出ヘッド３０１をクリーニングするものである。クリーニング機構３０８には、図示しないＹ方向の駆動モータが備えられている。このＹ方向の駆動モータの駆動により、クリーニング機構は、Ｙ方向ガイド軸３０５に沿って移動する。クリーニング機構３０８の移動も制御装置ＣＯＮＴにより制御される。
ヒータ３１５は、ここではランプアニールにより基板Ｐを熱処理する手段であり、基板Ｐ上に塗布された液体材料に含まれる溶媒の蒸発及び乾燥を行う。このヒータ３１５の電源の投入及び遮断も制御装置ＣＯＮＴにより制御される。
【００３２】
液滴吐出装置ＩＪは、液滴吐出ヘッド３０１と基板Ｐを支持するステージ３０７とを相対的に走査しつつ基板Ｐに対して液滴を吐出する。ここで、以下の説明において、Ｘ方向を走査方向、Ｘ方向と直交するＹ方向を非走査方向とする。
したがって、液滴吐出ヘッド３０１の吐出ノズルは、非走査方向であるＹ方向に一定間隔で並んで設けられている。なお、図３では、液滴吐出ヘッド３０１は、基板Ｐの進行方向に対し直角に配置されているが、液滴吐出ヘッド３０１の角度を調整し、基板Ｐの進行方向に対して交差させるようにしてもよい。このようにすれば、液滴吐出ヘッド３０１の角度を調整することで、ノズル間のピッチを調節することが出来る。また、基板Ｐとノズル面との距離を任意に調節することが出来るようにしてもよい。
【００３３】
図６は、液滴吐出ヘッド３０１の断面図である。
液滴吐出ヘッド３０１には、液体材料（配線用インク等）を収容する液体室３２１に隣接してピエゾ素子３２２が設置されている。液体室３２１には、液体材料を収容する材料タンクを含む液体材料供給系３２３を介して液体材料が供給される。
ピエゾ素子３２２は駆動回路３２４に接続されており、この駆動回路３２４を介してピエゾ素子３２２に電圧を印加し、ピエゾ素子３２２を変形させることにより、液体室３２１が変形し、ノズル３２５から液体材料が吐出される。
この場合、印加電圧の値を変化させることにより、ピエゾ素子３２２の歪み量が制御される。また、印加電圧の周波数を変化させることにより、ピエゾ素子３２２の歪み速度が制御される。ピエゾ方式による液滴吐出は材料に熱を加えないため、材料の組成に影響を与えにくいという利点を有する。
【００３４】
（第２工程：積層部形成）
図７〜図１０は、第２工程である積層部形成工程を説明する図である。なお、図７（ｂ）〜図１０（ｂ）は、それぞれ図７（ａ）〜図１０（ａ）におけるＡ−Ａ’線に沿う断面図であり、図８（ｃ）〜図１０（ｃ）は、それぞれ図７（ａ）〜図１０（ａ）におけるＢ−Ｂ’線に沿う断面図であり、
第２工程では、バンク５１、格子パターンの配線及び補助導電部５０からなる層上の所定位置に絶縁膜３１と半導体膜（コンタクト層３３，活性層３２）からなる積層部３５を形成する。
まず、プラズマＣＶＤ法により、基板Ｐ上の全面に対して、絶縁膜３１、活性層３２、コンタクト層３３の連続成膜を行う。具体的には、図７に示すように、絶縁膜３１として窒化シリコン膜、活性層３２としてアモルファスシリコン膜、コンタクト層３３としてｎ＋型シリコン膜を原料ガスやプラズマ条件を変化させることにより連続して形成する。
【００３５】
次いで、図８に示すように、フォトリソグラフィ法を用いて、所定位置にレジスト５８（５８ａ〜５８ｃ）を配置する。所定位置とは、図８（ａ）に示すように、ゲート配線４０とソース配線４２の交差部５６上、ゲート電極４１上、及び容量線４６上である。
なお、交差部５６上に配置するレジスト５８ａと容量線４６上に配置するレジスト５８ｂとは、接触しなように形成される。また、ゲート電極４１上に配置するレジスト５８ｃには、ハーフ露光を行うことにより、図８（ｂ）に示すように、溝５９を形成する。
【００３６】
次いで、基板Ｐの全面に対してエッチング処理を施して、コンタクト層３３及び活性層３２を除去する。更に、エッチング処理を施して、絶縁膜３１を除去する。
これにより、図９に示すように、レジスト５８（５８ａ〜５８ｃ）を配置した所定位置以外の領域から、コンタクト層３３、活性層３２、絶縁膜３１が取り除かれる。一方、レジスト５８が配置された所定位置には、絶縁膜３１と半導体膜（コンタクト層３３，活性層３２）からなる積層部３５が形成される。
なお、ゲート電極４１上に形成される積層部３５では、レジスト５８ｃにハーフ露光を行って溝５９を形成しておいたので、エッチング前に再度現像することにより溝が貫通する。図９（ｂ）示すように、溝５９に対応するコンタクト層３３が除去され、２つに分断された状態に形成される。これにより、ゲート電極４１上に活性層３２及びコンタクト層３３からなるスイッチング素子としてＴＦＴ３０が形成される。
【００３７】
そして、図１０に示すように、コンタクト層３３を保護する保護膜６０として窒化シリコン膜を基板Ｐの全面に成膜する。
このようにして、積層部３５の形成が完了する。
【００３８】
（第３工程）
図１１〜図１３は、第３工程である画素電極４５等の形成工程を説明する図である。なお、図１１（ｂ）〜図１３（ｂ）は、それぞれ図１１（ａ）〜図１３（ａ）におけるＡ−Ａ’線に沿う断面図であり、図１１（ｃ）〜図１３（ｃ）は、それぞれ図１１（ａ）〜図１３（ａ）におけるＢ−Ｂ’線に沿う断面図であり、
第３工程では、ソース電極４３、ドレイン電極４４、連結配線４９及び画素電極４５を形成する。
ソース電極４３、ドレイン電極４４、連結配線４９及び画素電極４５はいずれも、例えばＩＴＯ（Ｉｎｄｉｕｍ Ｔｉｎ Ｏｘｉｄｅ：インジウムスズ酸化物）等の透光性材料によって形成することができる。また、これらの電極等の形成には、第１工程と同様に、液滴吐出法が用いられる。
まず、ゲート配線４０及びソース配線４２等を覆うようにバンク６１をフォトリソグラフィ法に基づいて形成する。すなわち、図１１に示すように、略格子状のバンク６１が形成される。また、バンク６１は、補助導電部５０の一部を覆うように形成される。
そして、ソース配線４２とゲート配線４０、及びソース配線４２容量線４６との交差部５６には、開口部６２が形成される。また、開口部６２は、図１１（ｂ）に示すように、ゲート電極４１上に形成した積層部３５（ＴＦＴ３０）の一部が露出するように形成される。
更に、開口部６３が積層部３５（ＴＦＴ３０）の一部が露出するように形成される。したがって、バンク６１が積層部３５（ＴＦＴ３０）をＸ方向に２分割するように形成される。
また、開口部６３は、補助導電部５０の一部が露出するように形成される。したがって、バンク６１は、補助導電部５０をＸ方向に２分割するように形成される。
なお、バンク６１の材料としては、例えば、バンク５１と同様に、アクリル樹脂、ポリイミド樹脂、オレフィン樹脂、メラミン樹脂などの高分子材料が用いられる。また、バンク５１と同様に、撥液性処理を施される。
【００３９】
バンク６１により形成される開口部６２は、分断されたソース配線４２を連結する連結配線４９又はソース電極４３の形成位置に対応している。また、バンク６１により形成される開口部６３は、ドレイン電極４４の形成位置に対応している。更に、バンク６１により取り囲まれた領域は、画素電極４５の形成位置に対応している。
すなわち、バンク６１の開口部６２，６３内及びバンク６１により取り囲まれた領域に透明導電性材料を配置することにより、分断されたソース配線４２を連結する連結配線４９、ソース電極４３、ドレイン電極４４、画素電極４５が形成される。
なお、開口部６２，６３には、透明導電性材料以外の導電性材料を配置することも可能である。
【００４０】
次いで、基板Ｐの全面に成膜した保護膜６０をエッチング処理により除去する。これにより、図１２に示すように、バンク６１が配置されていない領域上に成膜した保護層６０は、取り除かれる。なお、格子パターンの配線上に形成した金属保護膜４７も取り除かれる。
【００４１】
次いで、前述した液滴吐出装置ＩＪによって、透明導電性材料をバンク６１の開口部６２，６３内及びバンク６１により取り囲まれた領域内に吐出・配置する。透明導電性材料は、ＩＴＯの導電性微粒子を分散媒に分散させた分散液である。
【００４２】
そして、基板Ｐに透明導電性材料を吐出した後には、分散媒の除去のため、必要に応じて乾燥処理、焼成処理を行う。乾燥・焼成処理により、導電性微粒子間の電気的接触が確保され、導電性膜に変換される。
【００４３】
このようにして、基板Ｐ上には、図１３に示すように、分断されたソース配線４２を連結する連結配線４９、ソース電極４３、ドレイン電極４４、画素電極４５が形成される。
なお、本実施形態においては、透明導電性材料を液滴吐出法により配置する方法について説明したが、ＣＶＤ処理とエッチング処理を行うことにより配置してもよい。この場合には、バンク６１は不要となる。
【００４４】
以上の工程を経ることにより、アクティブマトリックス基板２０が製造される。
このように、導電性材料を開口部６３内に配置することによりドレイン電極４４を形成するので、十分な膜厚を有するドレイン電極４４を形成することができる。すなわちコンタクト層３３上は、撥液性を有し、更にコンタクト層３３と画素電極４５とは高低差があるので、バンク６１により形成された開口部６３がなければ、導電性材料が画素電極４５側に流出してしまい、ドレイン電極４４の膜厚が薄くなってしまう。そこで、バンク６１により形成された開口部６３を形成することにより、導電性材料の流出を防止して、十分な膜厚を有するドレイン電極４４を形成することができる。
更に、予め、開口部６３の底面に補助導電部５０が露出するように形成しておいたので、ドレイン電極４４と画素電極４５との電気的接続を確実に確保することができる。
これにより、ドレイン電極４５の導電性の低下を防止されてて、所望の性能を備えるアクティブマトリックス基板２０を得ることができる。
【００４５】
なお、本実施形態においては、ソース配線４２を交差部５６において分割する場合について説明したが、ゲート配線４０を交差部５６において分割する場合であってもよい。
また、ソース配線４２等の配線を交差部５６において分割する場合には、限らない。
また、ゲート配線４０、ソース配線４２、容量線４６を液滴吐出法により形成する場合について説明したが、ＣＶＤ法等により形成してもよい。したがって、補助導電部５０もＣＶＤ法等により形成してもよい。
【００４６】
＜電気光学装置＞
次に、アクティブマトリックス基板２０を用いた電気光学装置の一例である液晶表示装置１００について説明する。
図１４は、液晶表示装置１００を対向基板側から見た平面図であり、図１５は、図１４のＨ−Ｈ’線に沿う断面図である。
なお、以下の説明に用いた各図においては、各層や各部材を図面上で認識可能な程度の大きさとするため、各層や各部材毎に縮尺を異ならせてある。
【００４７】
図１４及び図１５において、液晶表示装置（電気光学装置）１００は、アクティブマトリックス基板２０を含むＴＦＴアレイ基板１１０と対向基板１２０とが光硬化性の封止材であるシール材１５２によって貼り合わされ、このシール材１５２によって区画された領域内に液晶１５０が封入、保持されている。シール材１５２は、基板面内の領域において閉ざされた枠状に形成されてなり、液晶注入口を備えず、封止材にて封止された痕跡がない構成となっている。
【００４８】
シール材１５２の形成領域の内側の領域には、遮光性材料からなる周辺見切り１５３が形成されている。シール材１５２の外側の領域には、データ線駆動回路２０１及び実装端子２０２がＴＦＴアレイ基板１１０の一辺に沿って形成されており、この一辺に隣接する２辺に沿って走査線駆動回路２０４が形成されている。ＴＦＴアレイ基板１１０の残る一辺には、画像表示領域の両側に設けられた走査線駆動回路２０４の間を接続するための複数の配線２０５が設けられている。また、対向基板１２０のコーナー部の少なくとも１箇所においては、ＴＦＴアレイ基板１１０と対向基板１２０との間で電気的導通をとるための基板間導通材２０６が配設されている。
なお、データ線駆動回路２０１及び走査線駆動回路２０４をＴＦＴアレイ基板１１０の上に形成する代わりに、例えば、駆動用ＬＳＩが実装されたＴＡＢ（Tape Automated Bonding）基板とＴＦＴアレイ基板１１０の周辺部に形成された端子群とを異方性導電膜を介して電気的及び機械的に接続するようにしてもよい。
なお、液晶表示装置１００においては、使用する液晶１５０の種類、すなわち、ＴＮ（Twisted Nematic）モード、Ｃ−ＴＮ法、ＶＡ方式、ＩＰＳ方式モード等の動作モードや、ノーマリホワイトモード／ノーマリブラックモードの別に応じて、位相差板、偏光板等が所定の向きに配置されるが、ここでは図示を省略する。
また、液晶表示装置１００をカラー表示用として構成する場合には、対向基板１２０において、ＴＦＴアレイ基板１１０の後述する各画素電極に対向する領域に、例えば、赤（Ｒ）、緑（Ｇ）、青（Ｂ）のカラーフィルタをその保護膜とともに形成する。
【００４９】
また、アクティブマトリックス基板２０を用いた電気光学装置としては、例えば、有機ＥＬ（エレクトロルミネッセンス）表示装置に応用が可能である。
有機ＥＬ表示装置は、蛍光性の無機および有機化合物を含む薄膜を、陰極と陽極とで挟んだ構成を有し、前記薄膜に電子および正孔（ホール）を注入して励起させることにより励起子（エキシトン）を生成させ、このエキシトンが再結合する際の光の放出（蛍光・燐光）を利用して発光させる素子である。
そして、ＴＦＴ３０を有するアクティブマトリックス基板２０上に、有機ＥＬ表示素子に用いられる蛍光性材料のうち、赤、緑および青色の各発光色を呈する材料すなわち発光層形成材料及び正孔注入／電子輸送層を形成する材料をインクとし、各々をパターニングすることで、自発光フルカラー有機ＥＬ表示装置を製造することができる。
【００５０】
更に、アクティブマトリックス基板２０は、ＰＤＰ（プラズマディスプレイパネル）や、基板上に形成された小面積の薄膜に膜面に平行に電流を流すことにより、電子放出が生ずる現象を利用する表面伝導型電子放出素子等にも適用可能である。
【００５１】
＜電子機器＞
次に、本発明の電子機器の具体例について説明する。
図１６（ａ）は、携帯電話の一例を示した斜視図である。図１６（ａ）において、６００は携帯電話本体を示し、６０１は上記実施形態の液晶表示装置１００を備えた表示部を示している。
図１６（ｂ）は、ワープロ、パソコンなどの携帯型情報処理装置の一例を示した斜視図である。図１６（ｂ）において、７００は情報処理装置、７０１はキーボードなどの入力部、７０３は情報処理本体、７０２は上記実施形態の液晶表示装置１００を備えた表示部を示している。
図１６（ｃ）は、腕時計型電子機器の一例を示した斜視図である。図１６（ｃ）において、８００は時計本体を示し、８０１は上記実施形態の液晶表示装置１００を備えた表示部を示している。
このように、図１６（ａ）〜（ｃ）に示す電子機器は、上記実施形態の液晶表示装置１００を備えたものであるので、高い品質や性能が得られる。
【００５２】
なお、本実施形態の電子機器は液晶表示装置１００を備えるものとしたが、有機エレクトロルミネッセンス表示装置、プラズマ型表示装置等、他の電気光学装置を備えた電子機器とすることもできる。
また、テレビやモニター等の大型液晶パネルにおいても本実施形態を用いることができる。
【００５３】
以上、添付図面を参照しながら本発明についての好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【図面の簡単な説明】
【００５４】
【図１】アクティブマトリックス基板の一部拡大図である。
【図２】アクティブマトリックス基板の等価回路図である。
【図３】アクティブマトリックス基板を製造する手順を示す図である。
【図４】図３に続く手順を示す図である。
【図５】液滴吐出装置の概略斜視図である。
【図６】液滴吐出ヘッドの断面図である。
【図７】図４に続く手順を示す図である。
【図８】図７に続く手順を示す図である。
【図９】図８に続く手順を示す図である。
【図１０】図９に続く手順を示す図である。
【図１１】図１０に続く手順を示す図である。
【図１２】図１１に続く手順を示す図である。
【図１３】図１２に続く手順を示す図である。
【図１４】液晶表示装置を対向基板の側から見た平面図である。
【図１５】液晶表示装置の断面図である。
【図１６】電子機器の具体例を示す図である。
【図１７】従来のアクティブマトリックス基板を示す図である。
【符号の説明】
【００５５】
Ｐ…基板、  ２０…アクティブマトリックス基板、  ３０…ＴＦＴ（スイッチング素子）、  ３２…活性層、  ３３…コンタクト層、  ４４…ドレイン電極（導電膜）、  ４５…画素電極、  ５０…補助導電部、  ６１…バンク、  ６２，６３…開口部、  １００…液晶表示装置、  ６００…携帯電話本体（電子機器）、  ７００…情報処理装置（電子機器）、  ８００…時計本体（電子機器）
【図１】
2006065020.tif 000003
【図２】
2006065020.tif 000004
【図３】
2006065020.tif 000005
【図４】
2006065020.tif 000006
【図５】
2006065020.tif 000007
【図６】
2006065020.tif 000008
【図７】
2006065020.tif 000009
【図８】
2006065020.tif 000010
【図９】
2006065020.tif 000011
【図１０】
2006065020.tif 000012
【図１１】
2006065020.tif 000013
【図１２】
2006065020.tif 000014
【図１３】
2006065020.tif 000015
【図１４】
2006065020.tif 000016
【図１５】
2006065020.tif 000017
【図１６】
2006065020.tif 000018
【図１７】
2006065020.tif 000019